(57)【要約】      （修正有）【課題】低価格で興趣に溢れた植木鉢を提供する。【解決手段】原木を適宜長さに横断し、できた植木鉢材の一端から他端方向に向け中央部付近をある深さまで刳り貫き、側壁と刳りぬき部底部を形成し、刳りぬき部底面から植木鉢底面まで貫通する排水孔を設け、側壁には１つか複数の傾斜を有する側壁貫通孔を形成し、さらに刳りぬき部底面は全面から排水孔に向かい下る傾斜を設け形成され、排水孔は植木鉢底面側から植木鉢外部まで繋がる、ある深さまで彫られた１つ以上の溝を形成して成るものである。【選択図】図１
0003138813.tif 000002
【実用新案登録請求の範囲】
【請求項１】
本考案の植木鉢は、原木を適宜長さに横断し、できた植木鉢材の一端から他端方向に向け中央部付近をある深さまで刳り貫き、側壁と刳りぬき部底部を形成し、上記刳り貫き部底面から植木鉢底面まで貫通する１つ以上の排水孔を形成してなる植木鉢。
【請求項２】
上記植木鉢の底部付近が外側に向って株から成る膨らみを有する植木鉢。
【請求項３】
側壁に、側壁内部側が側壁外部側より低い位置で貫通する１つか複数の側壁貫通孔を有する請求項１に記載の植木鉢。
【請求項４】
刳り貫き部底部にじゅうぶんな厚みを有すると共に、刳り貫き部底面は上記排水孔に向って下る傾斜を設けた請求項１に記載の植木鉢。
【請求項５】
上記排水孔の植木鉢底面側から植木鉢外部まで繋がる、ある深さまで彫られた１つ以上の溝を有する請求項１又は４に記載の植木鉢。
【考案の詳細な説明】
【技術分野】
【０００１】  本考案は、原木からなる興趣に溢れる植木鉢に関するものである。
【背景技術】
【０００２】  従来の植木鉢は植木鉢の上面から植物を植え込むよう形成されたものがほとんどであり、その素材は、樹脂、素焼き、陶器等でできているものが一般的で、木製に関しては小さな板状の木材を繋ぎ合わせて作られたものが一般的である。
【考案の開示】
【考案が解決しようとする課題】
【０００３】  従来の植木鉢は、植木鉢の側壁を有効的に利用されていないものがほとんどで有ると共に、植物と植木鉢との間に自然な雰囲気の一体感を感じないものが大半である。【０００４】  そこで本考案は、従来の植木鉢より美的効果を向上させた植木鉢で上記従来の問題点を解決することを課題としている。
【課題を解決するための手段】
【０００５】  上記課題を解決するため、本考案の植木鉢は原木を適宜長さに横断し、できた植木鉢材の一端から他端方向に向け中央部付近をある深さまで刳り貫き、側壁と、刳り貫き部底部を形成し、上記刳り貫き部底面から植木鉢底面まで貫通する１つ以上の排水孔を形成して成るものである。【０００６】  上記植木鉢の底部付近が、外側に向って株から成る膨らみを有るものである。【０００７】  請求項３に記載の植木鉢は、側壁に、側壁内部側が側壁外部側より低い位置で貫通する１つか複数の側壁貫通孔を有するものである。【０００８】  請求項４に記載の植木鉢は、刳りぬき部底部にじゅうぶんな厚みを有すると共に、その刳り貫き部底面は上記排水孔に向かって下る傾斜を設けて成るものである。【０００９】  請求項５に記載の植木鉢は、上記排水孔の植木鉢底面側から植木鉢外部まで繋がる、ある深さまで彫られた１つ以上の溝を形成して成るものである。
【考案の効果】
【００１０】  本考案の植木鉢は、原木を適宜長さに横断し刳り貫き加工するため、原木が本来もつ自然な外観を壊さず、植物を植木鉢に植え込んだ際、植物と植木鉢との間で醸しだす美観を向上させると共に、桧や欅等のように利用価値の高い原木ではなく他の原木に比べ利用価値の低い杉を中心に利用することができるため、低価格で興趣に溢れた植木鉢を提供することができる。【００１１】  請求項２に記載の植木鉢は外観が丸太じょうでなく八の字のように広がり、その広がった根元部分は波のような様をもち自然に溢れた外観である。【００１２】  請求項３に記載の植木鉢は、植木鉢の側壁に側壁貫通孔を設けることにより、植木鉢の上面からだけでなく、より多くの植物を側面からも植え込め、且つ、極めて小さな側壁貫通孔を形成すれば図４に例示したような飾り物を差し込み飾ることもでき、また図１で示したように上記側壁貫通孔は側壁内部側が側壁外部側よりも低い位置で貫通しており、上記側壁貫通孔に傾斜を設けることにより、植木鉢内部からの土や水の流出を防ぐことができると共に、側壁から植え込まれた植物は適度な角度を保ち植物と植木鉢との間に醸しだされる自然な雰囲気を高めるものである。【００１３】  請求項４に記載の植木鉢は、刳り貫き部をある深さまで刳り貫くことにより木材の収縮等が起因するとされる割れを防止できると考えられ、また逆に割れが生じても植木鉢がバラバラになることを阻止するために刳り貫き部底部にじゅうぶんな厚みを残すように形成され、且つ、厚く残された刳りぬき部底部により重心が低く成るため植木鉢全体の安定も考え形成されており、さらに刳りぬき部底面は植木鉢内に余分な水が滞留することを防ぐため、図１又は図２で示したように刳り貫き部底面は排水孔に向かって下るように形成されており、植木鉢内部の余分な水は、この下った傾斜を流れ速やかに上記排水孔から排出されるものである。【００１４】  請求項５に記載の植木鉢は、植木鉢を水受け皿等の平面な場所に載置した場合、密着により植木鉢内部から排水された水が植木鉢内部に滞留する恐れが考えられる、この問題を解決するため、図１又は図２又は図３で示したように上記排水孔の植木鉢底面側から植木鉢外部まで繋がる、ある深さまで彫られた１つ以上の溝を形成することにより、植木鉢を平面な場所に載置した場合でもこの溝を流れ速やかに植木鉢外部まで排水することができる。
【考案を実行するための最良の形態】
【００１５】  以下に、本考案の実施形態を、図面を参照しつつ説明する。なお図１図２は斜視図、図３は溝を示す植木鉢底面図、図４は飾り物の一例を示した図である。
【００１６】  植木鉢１１は、原木が本来もつ自然な外観を壊さぬよう製造するものであるが、原木を適宜長さに横断し、できた植木鉢材によって、樹皮を剥離することにより外観の興趣が高まるようであれば剥離し、さらに剥離した様にあわせ側壁４と植木鉢上面１２等にニス材や艶出し塗料を塗り光沢をだし興趣を高めた外観に成すものとする。又、要望があれば色付けすることも可能である。
【００１７】  そして植木鉢上面１２も、上記横断した植木鉢材の外観により高低差を付け形成し興趣を高めた外観に成すものとする。
【００１８】  刳り貫き部１は上面から土を入れ植物を植え込むものであるが、植物を植え込んだ従来の植木鉢をそのまま刳り貫き部に入れる際には、上記刳り貫き部を従来の植木鉢のサイズに合わせ刳り貫く、あるいは、刳り貫き部に凹凸を設け形成し、上記従来の植木鉢の外面を凸成る部分に引っ掛け植木鉢１１内部におさめればよい、なお、その際の側壁貫通孔は図４に例示した飾り物を差し込める程度の小さな貫通孔でよい。
【００１９】  側壁貫通孔２は、上記の横断した植木鉢材の直径が３５ｃｍ前後のものであれば、側壁貫通孔２の直径は６ｃｍ程度が好ましいと思われるが、植木鉢材の大きさに合わせながら全体の強度の低下を避ける範囲の大きさであければよい。また植木鉢材の大きさに関係なく、図４に例示した飾り物を差し込み飾る場合は極めて小さな貫通孔でよい。
【００２０】  側壁貫通孔傾斜３は、植木鉢内部からの土や水の流出を防ぐことができる程度の傾斜でよい。
【００２１】  上記の刳り貫き部底部５は植木鉢１１全体の安定を考え厚みを儲け形成され、その刳り貫き部底面８は、植木鉢内に滞留した水が原因とする根腐れを効果的に防止する目的で、排水孔６に向かい下る傾斜を有し、この傾斜を設けることにより植木鉢内部に余分な水は滞留せずに速やかに排水孔６に向かい植木鉢底面７に排水される。なお刳り貫き部底面傾斜は植木鉢内に水が滞留しない程度の傾斜角でよい
【００２２】  上記植木鉢底面７に達した排水を、速やかに植木鉢外部に排出させるために植木鉢底面７に溝１０を形成し、その溝１０は植木鉢底面７から植木鉢１１の背面側に小さく繋げるのがもっとも好ましいが、溝１０に受け皿等を収める場合は、植木鉢１１の背面側から図３で示したように点線内部に彫られた溝１０を受け皿のサイズにあわせ形成すればよい。なお上記溝１０に受け皿等を収める場合、溝１０は図３で示したように形成するのがもっとも好ましいが、植木鉢外部に繋がる複数の溝を形成することもできる。いずれの場合も本考案植木鉢を使用される方の注文にあわして形成する事が可能である。
【実行例】
【００２３】  図示した植木鉢を６ヶ月前に作り自宅で使用しているが、植木鉢本体は４ヶ月前とかわりなく、植え込んだ植物は大きくなり枯れることなく育っている。
【図面の簡単な説明】
【００２４】
【図１】  本考案の植木鉢側面斜視図
【図２】  本考案の植木鉢正面斜視図
【図３】  本考案の植木鉢の溝を示す植木鉢底面図
【図４】  本考案の植木鉢の側面から差込む飾り物の一例を示す図
【符号の説明】
【００２５】  １  刳り貫き部
２  側壁貫通孔
３  側壁貫通孔傾斜
４  側壁
５  刳りぬき部底部
６  排水孔
７  植木鉢底面
８  刳りぬき部底面
９  植木鉢底部側面
１０  溝
１１  植木鉢
１２  植木鉢上面
【図１】
0003138813.tif 000003
【図２】
0003138813.tif 000004
【図３】
0003138813.tif 000005
【図４】
0003138813.tif 000006
【手続補正書】
【提出日】平成19年10月18日(2007.10.18)
【手続補正１】
【補正対象書類名】実用新案登録請求の範囲
【補正対象項目名】全文
【補正方法】変更
【補正の内容】
【実用新案登録請求の範囲】
【請求項１】
本考案の植木鉢は、原木を適宜長さに横断し、できた植木鉢材の一端から他端方向に向け中央部付近をある深さまで刳り貫き、側壁と刳り貫き部底部を形成し、上記刳り貫き部底面から植木鉢底面まで貫通する１つ以上の排水孔を形成してなる植木鉢。
【請求項２】
側壁に、側壁内部側が側壁外部側より低い位置で貫通する１つか複数の側壁貫通孔を有する請求項１に記載の植木鉢。
【請求項３】
刳り貫き部底部にじゅうぶんな厚みを有すると共に、刳り貫き部底面は上記排水孔に向かって下る傾斜を設けた請求項１に記載の植木鉢。
【請求項４】
上記排水孔の植木鉢底面側から植木鉢外部まで繋がる、ある深さまで彫られた１つ以上の溝を有する請求項１又は３に記載の植木鉢。
【手続補正２】
【補正対象書類名】明細書
【補正対象項目名】全文
【補正方法】変更
【補正の内容】
【考案の詳細な説明】
【技術分野】
【０００１】  本考案は、原木からなる興趣に溢れる植木鉢に関するものである。
【背景技術】
【０００２】  従来の植木鉢は植木鉢の上面から植物を植え込むよう形成されたものがほとんどであり、その素材は、樹脂、素焼き、陶器等でできているものが一般的で、木製に関しては小さな板状の木材を繋ぎ合わせて作られたものが一般的である。
【考案の開示】
【考案が解決しようとする課題】
【０００３】  従来の植木鉢は、植木鉢の側壁を有効的に利用されていないものがほとんどで有ると共に、植物と植木鉢との間に自然な雰囲気の一体感を感じないものが大半である。【０００４】  そこで本考案は、従来の植木鉢より美的効果を向上させた植木鉢で上記従来の問題点を解決することを課題としている。
【課題を解決するための手段】
【０００５】  上記課題を解決するため、本考案の植木鉢は原木を適宜長さに横断し、できた植木鉢材の一端から他端方向に向け中央部付近をある深さまで刳り貫き、側壁と、刳り貫き部底部を形成し、上記刳り貫き部底面から植木鉢底面まで貫通する１つ以上の排水孔を形成して成るものである。【０００６】  請求項２に記載の植木鉢は、側壁に、側壁内部側が側壁外部側より低い位置で貫通する１つか複数の側壁貫通孔を有するものである。【０００７】  請求項３に記載の植木鉢は、刳りぬき部底部にじゅうぶんな厚みを有すると共に、その刳り貫き部底面は上記排水孔に向かって下る傾斜を設けて成るものである。【０００８】  請求項４に記載の植木鉢は、上記排水孔の植木鉢底面側から植木鉢外部まで繋がる、ある深さまで彫られた１つ以上の溝を形成して成るものである。
【考案の効果】
【０００９】  本考案の植木鉢は、原木を適宜長さに横断し刳り貫き加工するため、原木が本来もつ自然な外観を壊さず、植物を植木鉢に植え込んだ際、植物と植木鉢との間で醸しだす美観を向上させると共に、桧や欅等のように利用価値の高い原木ではなく他の原木に比べ利用価値の低い杉を中心に利用することができるため、低価格で興趣に溢れた植木鉢を提供することができる。【００１０】  請求項２に記載の植木鉢は、植木鉢の側壁に側壁貫通孔を設けることにより、植木鉢の上面からだけでなく、より多くの植物を側面からも植え込め、且つ、極めて小さな側壁貫通孔を形成すれば図４に例示したような飾り物を差し込み飾ることもでき、また図１で示したように上記側壁貫通孔は側壁内部側が側壁外部側よりも低い位置で貫通しており、上記側壁貫通孔に傾斜を設けることにより、植木鉢内部からの土や水の流出を防ぐことができると共に、側壁から植え込まれた植物は適度な角度を保ち植物と植木鉢との間に醸しだされる自然な雰囲気を高めるものである。【００１１】  請求項３に記載の植木鉢は、刳り貫き部をある深さまで刳り貫くことにより木材の収縮等が起因するとされる割れを防止できると考えられ、また逆に割れが生じても植木鉢がバラバラになることを阻止するために刳り貫き部底部にじゅうぶんな厚みを残すように形成され、且つ、厚く残された刳りぬき部底部により重心が低く成るため植木鉢全体の安定も考え形成されており、さらに刳りぬき部底面は植木鉢内に余分な水が滞留することを防ぐため、図１又は図２で示したように刳り貫き部底面は排水孔に向かって下るように形成されており、植木鉢内部の余分な水は、この下った傾斜を流れ速やかに上記排水孔から排出されるものである。【００１２】  請求項４に記載の植木鉢は、植木鉢を水受け皿等の平面な場所に載置した場合、密着により植木鉢内部から排水された水が植木鉢内部に滞留する恐れが考えられる、この問題を解決するため、図１又は図２又は図３で示したように上記排水孔の植木鉢底面側から植木鉢外部まで繋がる、ある深さまで彫られた１つ以上の溝を形成することにより、植木鉢を平面な場所に載置した場合でもこの溝を流れ速やかに植木鉢外部まで排水することができる。
【考案を実行するための最良の形態】
【００１３】  以下に、本考案の実施形態を、図面を参照しつつ説明する。なお図１図２は斜視図、図３は溝を示す植木鉢底面図、図４は飾り物の一例を示した図である。
【００１４】  植木鉢１１は、原木が本来もつ自然な外観を壊さぬよう製造するものであるが、原木を適宜長さに横断し、できた植木鉢材によって、樹皮を剥離することにより外観の興趣が高まるようであれば剥離し、さらに剥離した様にあわせ側壁４と植木鉢上面１２等にニス材や艶出し塗料を塗り光沢をだし興趣を高めた外観に成すものとする。又、要望があれば色付けすることも可能である。
【００１５】  そして植木鉢上面１２も、上記横断した植木鉢材の外観により高低差を付け形成し興趣を高めた外観に成すものとする。
【００１６】  刳り貫き部１は上面から土を入れ植物を植え込むものであるが、植物を植え込んだ従来の植木鉢をそのまま刳り貫き部に入れる際には、上記刳り貫き部を従来の植木鉢のサイズに合わせ刳り貫く、あるいは、刳り貫き部に凹凸を設け形成し、上記従来の植木鉢の外面を凸成る部分に引っ掛け植木鉢１１内部におさめればよい、なお、その際の側壁貫通孔２は図４に例示した飾り物を差し込める程度の小さな貫通孔でよい。
【００１７】  側壁貫通孔２は、上記の横断した植木鉢材の直径が３５ｃｍ前後のものであれば、側壁貫通孔２の直径は６ｃｍ程度が好ましいと思われるが、植木鉢材の大きさに合わせながら全体の強度の低下を避ける範囲の大きさであければよい。また植木鉢材の大きさに関係なく、図４に例示した飾り物を差し込み飾る場合は極めて小さな貫通孔でよい。
【００１８】  側壁貫通孔傾斜３は、植木鉢１１内部からの土や水の流出を防ぐことができる程度の傾斜でよい。
【００１９】  上記の刳り貫き部底部５は植木鉢１１全体の安定を考え厚みを儲け形成され、その刳り貫き部底面８は、植木鉢１１内に滞留した水が原因とする根腐れを効果的に防止する目的で、排水孔６に向かい下る傾斜を有し、この傾斜を設けることにより植木鉢１１内部に余分な水は滞留せずに速やかに排水孔６に向かい植木鉢底面７に排水される。なお刳り貫き部底面傾斜は植木鉢１１内に水が滞留しない程度の傾斜角でよい
【００２０】  上記植木鉢底面７に達した排水を、速やかに植木鉢１１外部に排出させるために植木鉢底面７に溝１０を形成し、その溝１０は植木鉢底面７から植木鉢１１の背面側に小さく繋げるのがもっとも好ましいが、溝１０に受け皿等を収める場合は、植木鉢１１の背面側から図３で示したように点線内部に彫られた溝１０を受け皿のサイズにあわせ形成すればよい。なお上記溝１０に受け皿等を収める場合、溝１０は図３で示したように形成するのがもっとも好ましいが、植木鉢１１外部に繋がる複数の溝を形成することもできる。いずれの場合も本考案植木鉢を使用される方の注文にあわして形成する事が可能である。
【実行例】
【００２１】  図示した植木鉢１１を６ヶ月前に作り自宅で使用しているが、植木鉢１１本体は６ヶ月前とかわりなく、植え込んだ植物は大きくなり枯れることなく育っている。
【図面の簡単な説明】
【００２２】
【図１】  本考案の植木鉢側面斜視図
【図２】  本考案の植木鉢正面斜視図
【図３】  本考案の植木鉢の溝を示す植木鉢底面図
【図４】  本考案の植木鉢の側面から差込む飾り物の一例を示す図
【符号の説明】
【００２３】  １  刳り貫き部
２  側壁貫通孔
３  側壁貫通孔傾斜
４  側壁
５  刳りぬき部底部
６  排水孔
７  植木鉢底面
８  刳りぬき部底面
９  植木鉢底部側面
１０  溝
１１  植木鉢
１２  植木鉢上面